(57)【特許請求の範囲】
【請求項１】
放送される放送素材データを格納し、かつこの放送素材データを放送するために必要な放送進行スケジュールデータを制作するサーバ装置と、このサーバ装置に対しデータ伝送線路を介して接続され、前記放送進行スケジュールデータに基づいて、当該サーバ装置に格納された前記放送素材データを送出する機能を有する送出装置とを具備する放送素材データ送出システムにおいて、
前記サーバ装置は、特定された期間内に放送される予定の全ての放送素材データ及び放送進行スケジュールデータを、データの記録再生を実行するための可搬メディアに一括して記録する手段を備え、
前記送出装置は、前記可搬メディアに記録された前記特定された期間内の放送素材データ及び放送進行スケジュールデータを再生し、前記特定された期間の放送素材データを前記可搬メディアとは異なる記憶部に記憶し、前記再生した放送進行スケジュールデータに従って、前記記憶部から放送予定時刻の放送素材データを選択的に読み出して送出する手段を備えてなることを特徴とする放送素材データ送出システム。
【請求項２】
さらに、前記データ伝送線路上には、当該データ伝送線路の状態を監視する監視手段を設け、
この監視手段は、前記データ伝送線路の障害を検出した際に、この障害を検出した旨を前記サーバ装置に通知する手段を有し、
前記サーバ装置は、前記監視手段により障害を検出した旨が通知された場合に、特定された期間内に放送される予定の全ての放送素材データ及び放送進行スケジュールデータを前記可搬メディアに転送して記録する手段を有してなることを特徴とする請求項１記載の放送素材データ送出システム。
【請求項３】
前記データ伝送線路は、ローカルエリアネットワークであることを特徴とする請求項１記載の放送素材データ送出システム。
【請求項４】
前記放送素材データは、文字放送素材データであることを特徴する請求項１記載の放送素材データ送出システム。
【請求項５】
放送される放送素材データと、この放送素材データを放送するために必要な放送進行スケジュールデータを格納するサーバ装置と、このサーバ装置に対しデータ伝送線路を介して接続され、前記放送進行スケジュールデータに基づいて、当該サーバ装置に格納された前記放送素材データを送出する機能を有する送出装置とを具備する放送素材データ送出システムにおいて、
前記サーバ装置は、特定された期間内に放送される予定の全ての放送素材データ及び放送進行スケジュールデータを、データの記録再生を実行するための可搬メディアに一括して記録する手段を備え、
前記送出装置は、前記可搬メディアに記録された前記特定された期間内の放送素材データ及び放送進行スケジュールデータを再生し、特定された期間の放送素材データを前記可搬メディアとは異なる記憶部に記憶し、前記再生した放送進行スケジュールデータに従って、前記記憶部から放送予定時刻の放送素材データを選択的に読み出して送出する手段を備えてなることを特徴とする放送素材データ送出システム。
【発明の詳細な説明】
【０００１】
【発明の属する技術分野】
この発明は、放送素材データの送出を行なう放送素材データ送出システムに関するもので、特に、障害発生時にも放送素材データの送出を行なうことができるようにしたものである。
【０００２】
【従来の技術】
周知のように、例えば文字放送素材データの送出を行なう文字放送送出システムにおいては、文字放送素材データを格納し、かつこの文字放送素材データを放送するために必要な放送進行スケジュールデータを制作するサーバ装置と、文字放送素材データを放送波として送出する送出装置とを接続するＬＡＮ(Local Area Network)等のデータ伝送線路に障害が発生した場合にも文字放送素材データの送出を行なえるような対策が採られている。この種の対策としては、第１に、システムの信頼性を高めるため、冗長系を有する２重化システムを採用する一般的な方法と、第２に、サーバ装置にて文字放送素材データをフロッピーディスク等の可搬メディアに記録し、送出装置にて可搬メディアに記録された文字放送素材データを再生する方法とがある。
【０００３】
しかし、第１の対策では、システムの２重化を行なった場合に、同一の文字放送素材データ及び放送進行スケジュールデータをそれぞれの系統に入力し、または変更を行なうことは、同じ操作を２回繰り返すことになり非常に煩雑となる。
【０００４】
そこで、この問題を解決するために、一方の系統をマスター系、他方の系統をスレイブ系とし、文字放送素材データ及び放送進行スケジュールデータの入力は全てマスター系に行ない、スレイブ系はマスター系よりデータを受けることでマスター系と同一の内容の文字放送素材データの送出を行なうシステムが考えられている。しかし、このシステムでは、マスター系からスレイブ系へのデータの送信前または送信中にマスター系に障害が発生し、マスター系からスレイブ系への切替が行なわれた場合に、データの欠落により両系の放送内容が一致しない場合があるという問題が生じている。
【０００５】
また、第２の方法では、サーバ装置側にてある時間に放送されている全ての文字放送素材データを選択し、可搬メディアに記録することは煩雑な処理となる。さらに、サーバ装置側で素材のみを更新して可搬メディアに記録していることにより、可搬メディアから放送素材データを再生する送出装置では、自装置が認識している放送進行スケジュールデータとの間に不整合が生じ、結果として放送中止となる恐れがある。
【０００６】
【発明が解決しようとする課題】
以上のように、従来の文字放送送出システムでは、マスター系に障害が発生した場合に、スレイブ系への切替が行なわれると、データの欠落により両系の放送内容が一致しない場合があるという問題を有している。また、サーバ装置側で文字放送素材データを可搬メディアに記録し、送出装置側で可搬メディアから文字放送素材データを再生するシステムでは、サーバ装置側にてある時間に放送されている全ての文字放送素材データを選択して可搬メディアに記録することは煩雑な処理となり、さらに、サーバ装置では素材のみを更新して可搬メディアに記録しているので、送出装置では放送進行スケジュールデータとの不整合により放送中止になる恐れがあるという不都合を有している。
【０００７】
この発明の目的は、放送素材データ及び放送進行スケジュールデータの入力及び管理の煩雑さと、一方の系統に障害が発生した場合に他方の系統への切替によるデータの欠落の危険とを回避し得る放送素材データ送出システムを提供することにある。また、データ伝送線路等に障害が発生した場合にも、可搬メディアへのデータ記録処理の煩雑さを軽減し、かつ放送素材データと放送進行スケジュールデータとの不整合の危険を回避し得る放送素材データ送出システムを提供することにある。
【０００８】
【課題を解決するための手段】
この発明は、放送される文字放送素材データを格納し、かつこの放送素材データを放送するために必要な放送進行スケジュールデータを制作するサーバ装置と、このサーバ装置で制作された放送進行スケジュールデータに基づいて、当該サーバ装置に格納された放送素材データを送出する機能を有する第１の送出装置と、この第１の送出装置に対する冗長系として機能する第２の送出装置とを備えた放送素材データ送出システムを対象にしている。
【０００９】
そして、上記目的を達成するために、第１及び第２の送出装置は、１つのサーバ装置にデータ伝送線路を介して接続されてなり、各々独立して放送素材データを送出するようにしており、サーバ装置は、第１及び第２の送出装置の状態を管理し、この状態に応じて格納した放送素材データ及び放送進行スケジュールデータをデータ伝送線路を介して第１及び第２の送出装置に選択的に伝送するようにしている。
【００１０】
この構成によれば、第１及び第２の送出装置は、１つのサーバ装置にデータ伝送線路を介して接続されているので、サーバ装置は、第１及び第２の送出装置とデータ伝送線路を介して通信等を行なうことにより、第１及び第２の送出装置の状態を管理することが可能となり、これら第１及び第２の送出装置の状態に応じて格納した放送素材データ及び放送進行スケジュールデータをデータ伝送線路を介して第１及び第２の送出装置に選択的に伝送するようにしている。すなわち、第１及び第２の送出装置の一方に障害が発生した際の系統切替機能をサーバ装置に持たせることが可能となる。
【００１１】
このため、１つのサーバ装置が第１及び第２の送出装置の状態の管理及びデータ伝送制御を行なうので、第１及び第２の送出装置は互いに送出する放送素材データの内容を認識しなくて済み、これにより第１及び第２の送出装置における放送素材データ及び放送進行スケジュールデータの入力及び管理の煩雑さと、一方の系統に障害が発生した場合に他方の系統への切替によるデータの欠落の危険とを回避することが可能となる。
【００１２】
また、この発明におけるサーバ装置は、放送素材データ及び制作した放送進行スケジュールデータを記憶したデータ記憶手段と、第１の送出装置に対し通信制御プロトコルを実行するためのプログラムを記憶した第１のプロトコル記憶手段と、第２の送出装置に対し通信制御プロトコルを実行するためのプログラムを記憶した第２のプロトコル記憶手段と、第１及び第２のプロトコル記憶手段に記憶されたプログラムに基づいて、データ記憶手段に記憶された放送素材データ及び放送進行スケジュールデータを第１及び第２の送出装置へデータ伝送する伝送制御手段とを備えるようにしている。
【００１３】
この構成によれば、第１の送出装置に対し通信制御プロトコルを実行するためのプログラムを記憶した第１のプロトコル記憶手段と、第２の送出装置に対し通信制御プロトコルを実行するためのプログラムを記憶した第２のプロトコル記憶手段とを備えておくことで、第１及び第２の送出装置のうち一方に障害が発生した場合に、正常な送出装置に対応するプロトコル記憶手段に記憶されたプログラムを読み出し、読み出されたプログラムに従って放送素材データ及び放送進行スケジュールデータを正常である他方の送出装置に伝送することが可能となる。つまり、１つのサーバ装置で系統切替を行ない、データ欠落を起こすことなく伝送することが可能となる。
【００１４】
さらに、サーバ装置は、第１及び第２の送出装置の状態を監視する監視手段と、この監視手段で第１及び第２の送出装置のうちの一方に障害が検出された場合に、障害が発生した送出装置との間のデータ伝送線路を開放し、他方の送出装置に切り替えて、放送素材データ及び放送進行スケジュールデータを伝送するデータ伝送変更手段とを備えることを特徴とするので、第１及び第２の送出装置のいずれかに生じる障害を自動的に検出することが可能となり、この検出結果に基づいて、障害が発生した送出装置との間のデータ伝送線路を開放し、他方の送出装置に切り替えて、放送素材データ及び放送進行スケジュールデータを伝送することが可能となり、システムとしては効率よい系統切替えを行なうことが可能となる。
【００１５】
また、この発明は、放送される放送素材データを格納し、かつこの放送素材データを放送するために必要な放送進行スケジュールデータを制作するサーバ装置と、このサーバ装置に対しデータ伝送線路を介して接続され、放送進行スケジュールデータに基づいて、当該サーバ装置に格納された放送素材データを送出する機能を有する送出装置とを具備する放送素材データ送出システムを対象にしている。
【００１６】
そして、上記目的を達成するために、サーバ装置は、特定された期間内に放送される予定の全ての放送素材データ及び放送進行スケジュールデータを、データの記録再生を実行するための可搬メディアに一括して記録し、送出装置は、可搬メディアに記録された放送素材データ及び放送進行スケジュールデータを再生し、この再生した放送進行スケジュールデータに従って、放送素材データの送出を実行するようにしている。
【００１７】
この構成によれば、送出装置にて送出される特定期間内の放送素材データ及びこの放送素材データを放送するために必要な放送進行スケジュールデータは、サーバ装置にて可搬メディアに記録され、送出装置は、可搬メディアに記録された特定期間内の放送素材データ及び放送進行スケジュールデータを再生し、この再生した放送進行スケジュールデータに基づいて放送素材データの送出を行なえるようになる。すなわち、送出装置は、可搬メディアから再生した放送進行スケジュールデータを参照することにより、時間帯に応じて放送素材データを選択的に送出することが可能となり、さらに放送素材データが更新されても、それに伴ってサーバ装置にて放送進行スケジュールデータも更新されて可搬メディアを介して送出装置に提供されることになる。
【００１８】
このため、送出装置で可搬メディアから再生した放送進行スケジュールデータに基づいて放送素材データの送出を行なうので、データ伝送線路に障害が発生した場合に、サーバ装置による可搬メディアへのデータ記録処理の煩雑さを軽減し、かつ送出装置における放送素材データと放送進行スケジュールデータとの不整合の危険を回避することが可能となる。
【００１９】
また、この発明では、さらに、データ伝送線路上に、当該データ伝送線路の状態を監視する監視手段を設け、この監視手段は、データ伝送線路の障害を検出した際に、この障害を検出した旨をサーバ装置に通知し、サーバ装置は、監視手段により障害を検出した旨が通知された場合に、特定された期間内に放送される予定の全ての放送素材データ及び放送進行スケジュールデータを可搬メディアに転送して記録するようにしている。
【００２０】
この構成によれば、データ伝送線路上に、当該データ伝送線路の状態を監視する監視手段を設け、データ伝送線路の障害を検出した際に、この障害を検出した旨をサーバ装置に通知することにより、サーバ装置は、データ伝送線路に障害が発生した旨を把握することができ、人の手を介することなく自動的に特定期間内の放送素材データ及び放送進行スケジュールデータを可搬メディアに記録することが可能となる。
【００２１】
【発明の実施の形態】
以下、この発明の実施の形態について図面を参照して詳細に説明する。
【００２２】
図１は、この発明に係る放送素材データ送出システムの一実施の形態を示す概略構成図である。
【００２３】
図１において、図中符号１１はサーバ装置で、放送される文字放送素材データを格納し、かつこの文字放送素材データを放送するために必要な放送進行スケジュールデータの制作を行なっている。なお、この放送進行スケジュールデータは、上記文字放送素材データの内容の一部とその放送予定時刻情報等を含んでいる。
【００２４】
また、図中符号２１，２２は送出装置で、サーバ装置１１で制作された放送進行スケジュールデータに基づいて、上記サーバ装置１１に格納された文字放送素材データを放送波として外部に送出する機能を有している。なお、従来では、送出装置２２は、送出装置２１に対する冗長系として機能している。
【００２５】
そこで、この実施の形態では、これら送出装置２１，２２を１つのサーバ装置１１とデータ伝送線路であるＬＡＮ３１を介して接続するようにしている。このため、送出装置２１，２２は、各々独立して文字放送素材データを放送波として送出できるようになる。また、サーバ装置１１は、送出装置２１，２２の状態を一元管理し、この状態に応じて格納した文字放送素材データ及び制作した放送進行スケジュールデータをＬＡＮ３１を介して送出装置２１，２２に選択的に伝送するようにしている。
【００２６】
また、ＬＡＮ３１には、送受信装置４１及び受信装置４２が接続されている。これら送受信装置４１及び受信装置４２には、公衆網、コンピュータ・ネットワーク、企業内ネットワーク等が接続されている。すなわち、送受信装置４１及び受信装置４２は、ネットワーク上の文字放送素材データの各制作会社と、ＴＣＰ／ＩＰ(Transmission Control Protocol／Internet Protocol)を使用することでアクセス可能となる。また、サーバ装置１１も、ＴＣＰ／ＩＰプロトコルを使用することで、送受信装置４１及び受信装置４２を介してネットワーク上の文字放送素材データの各制作会社とアクセス可能となる。
【００２７】
さらに、この実施の形態の放送素材データ送出システムは、送出制御装置４３をＬＡＮ３１に接続しており、サーバ装置１１及び送出装置２１，２２について文字放送素材データ及び放送進行スケジュールデータの送出制御を行なうようなシステム管理機能を備えている。
【００２８】
次に、上記サーバ装置１１について図２を参照して説明する。
【００２９】
図２において、サーバ装置１１は、例えばＨＡ(High Availability )システムを構築しており、例えばＯｒａｃｌｅと称する共通ディスク装置１１ａと、送出装置２１に対しアプリケーション層の通信制御プロトコルを実行するためのプログラムを記憶した第１の番組ファイル１１ｂと、送出装置２２に対しアプリケーション層の通信制御プロトコルを実行するためのプログラムを記憶した第２の番組ファイル１１ｃと、各制作会社から送られてきた文字放送素材データを格納するＮＡＢ素材記憶部１１ｄと、放送する番組等をパケットにして作成するパケット作成部１１ｅと、放送する番組等を格納する番組記憶部１１ｆと、ＴＣＰ／ＩＰインタフェース１１ｇとを備えている。これら第１の番組ファイル１１ｂ、第２の番組ファイル１１ｃ、ＮＡＢ素材記憶部１１ｄ、パケット作成部１１ｅ、番組記憶部１１ｆ及びＴＣＰ／ＩＰインタフェース１１ｇは、それぞれ共通ディスク装置１１ａに回線等により接続されている。
【００３０】
また、共通ディスク装置１１ａは、パケット管理部１１ａ１と、ＮＡＢ素材管理部１１ａ２と、文字放送スケジュール管理部１１ａ３と、データベースとしての文字放送放送進行表１１ａ４とを備えている。すなわち、パケット管理部１１ａ１は、ＴＣＰ／ＩＰインタフェース１１ｇを介して各制作会社から到来する文字放送素材データをＮＡＢ素材管理部１１ａ２に転送する。すると、ＮＡＢ素材管理部１１ａ２は、文字放送素材データをＮＡＢフォーマットに変換して、一時的にＮＡＢ素材記憶部１１ｄに記憶しておく。また、ＮＡＢ素材管理部１１ａ２は、パケット管理部１１ａ１から文字放送素材データ読み出しの指令制御信号を受信すると、ＮＡＢ素材記憶部１１ｄから要求に応じた文字放送素材データを読み出し、パケット管理部１１ａ１に送出するとともに、文字放送スケジュール管理部１１ａ３に送出する。
【００３１】
文字放送スケジュール管理部１１ａ３は、入力された文字放送素材データと文字放送放送進行表１１ａ４とを照合し、この照合結果を放送進行スケジュールデータとしてパケット管理部１１ａ１に転送する。
【００３２】
パケット管理部１１ａ１は、第１及び第２の番組ファイル１１ｂ，１１ｃに記憶されたプログラムに基づいて、ＮＡＢ素材管理部１１ａ２から到来する文字放送素材データ及び文字放送スケジュール管理部１１ａ３から到来する放送進行スケジュールデータをパケット作成部１１ｅにてパケット化して送出装置２１，２２へＴＣＰ／ＩＰインタフェース１１ｇを介して伝送する。また、パケット管理部１１ａ１は、番組記憶部１１ｆに記憶された番組等の情報をパケット作成部１１ｅに転送し、このパケット作成部１１ｅにて作成されたパケットデータをＴＣＰ／ＩＰインタフェース１１ｇを介して送出装置２１，２２へ伝送する。
【００３３】
さらに、パケット管理部１１ａ１は、送出装置２１，２２とＬＡＮ３１を介して制御情報の授受を行なうことにより、送出装置２１，２２の状態を監視することができ、このうちの一方に障害が検出された場合に、障害が発生した送出装置との間のデータ伝送線路を開放し、他方の送出装置に切り替えて、文字放送素材データ及び放送進行スケジュールデータを伝送するようにしている。なお、この監視手段において、あたかもパケット管理部１１ａ１内のソフトウェアで行なうように説明しているが、パケット管理部１１ａ１とは別途に設けられた処理部のソフトウェアによって実現するようにしてもよい。
【００３４】
次に、上記送出装置２１，２２について図３を参照して説明する。なお、ここでは、送出装置２１を代表して説明する。
【００３５】
図３において、送出装置２１は、データベースとしての当日翌日分文字放送放送進行表２１ａと、と当日翌日分文字放送スケジュール管理部２１ｂと、時刻管理部２１ｃと、パケット番組管理部２１ｄと、ＮＡＢデータ／ページデータ変換部２１ｅと、当日翌日パケット番組データ記憶部２１ｆと、送出制御部２１ｇと、ＴＣＰ／ＩＰインタフェース２１ｈとを備えている。
【００３６】
このうち、当日翌日分文字放送スケジュール管理部２１ｂは、ＴＣＰ／ＩＰインタフェース２１ｈを介して到来するパケットデータから放送進行スケジュールデータを抽出し、この放送進行スケジュールデータを当日翌日分文字放送放送進行表２１ａに記憶する。なお、文字放送素材データは、パケット番組管理部２１ｄにて抽出され、当日翌日パケット番組データ記憶部２１ｆに一時的に記憶される。
【００３７】
当日翌日分文字放送スケジュール管理部２１ｂは、当日翌日分文字放送放送進行表２１ａに記憶された放送進行スケジュールデータと時刻管理部２１ｃから出力される時間情報とを照合し、時間帯に応じて放送進行スケジュールデータをパケット番組管理部２１ｄに転送する。
【００３８】
パケット番組管理部２１ｄは、放送進行スケジュールデータに基づいて、該当する文字放送素材データを当日翌日パケット番組データ記憶部２１ｆから読み出す。この読み出された文字放送素材データは、ＮＡＢデータ／ページデータ変換部２１ｅでＮＡＢフォーマットからページデータに変換されて後、送出制御部２１ｇにより放送波として外部に送出される。
【００３９】
以上のように、上記実施の形態によれば、送出装置２１，２２は、１つのサーバ装置１１にＬＡＮ３１を介して接続されているので、サーバ装置１１は、送出装置２１，２２とＬＡＮ３１を介して通信等を行なうことにより、送出装置２１，２２の状態を管理することが可能となり、これら送出装置２１，２２の状態に応じてＮＡＢ素材記憶部１１ｄに記憶した文字放送素材データ及びこの文字放送素材データを放送するために必要な放送進行スケジュールデータをＬＡＮ３１を介して送出装置２１，２２に選択的に伝送するようにしている。すなわち、送出装置２１，２２の一方に障害が発生した際の系統切替機能をサーバ装置１１に持たせることが可能となる。
【００４０】
このため、１つのサーバ装置１１が送出装置２１，２２の状態の管理及びデータ伝送制御を行なうので、送出装置２１，２２は互いに送出する文字放送素材データの内容を認識しなくて済み、これにより送出装置２１，２２における文字放送素材データ及び放送進行スケジュールデータの入力及び管理の煩雑さと、一方の系統に障害が発生した場合に他方の系統への切替によるデータの欠落の危険とを回避することが可能となる。
【００４１】
また、サーバ装置１１は、送出装置２１に対し通信制御プロトコルを実行するためのプログラムを記憶した第１の番組ファイル１１ｂと、送出装置２２に対し通信制御プロトコルを実行するためのプログラムを記憶した第２の番組ファイル１１ｃとを備えておくことで、送出装置２１，２２のうち一方に障害が発生した場合に、正常な送出装置に対応するファイルに記憶されたプログラムを読み出し、読み出されたプログラムに従って文字放送素材データ及び放送進行スケジュールデータを正常である他方の送出装置に伝送することが可能となる。つまり、１つのサーバ装置１１で系統切替を行ない、データ欠落を起こすことなく伝送することが可能となる。
【００４２】
なお、上記実施の形態においては、２つの送出装置２１，２２を用いて説明しているが、２つ以上の複数の送出装置をＬＡＮ３１に接続して用いるようにしても実施可能である。
【００４３】
次に、この発明に係る放送素材データ送出システムの第２の実施の形態について図４〜図６を参照して説明する。
【００４４】
なお、図４は、放送素材データ送出システムの構成概略図であり、先の図１と同一部分には同一符号を付し、異なる部分のみ説明する。すなわち、サーバ装置１１は、特定された期間内に放送される予定の全ての文字放送素材データ及び放送進行スケジュールデータを、データの記録再生を実行するフロッピーディスク、光ディスク等を記録媒体とした可搬メディア５１に一括して記録する機能を有している。そして、送出装置２１は、可搬メディア５１に記録された文字放送素材データ及び放送進行スケジュールデータを再生し、この再生した放送進行スケジュールデータに従って、文字放送素材データの送出を実行する機能を有している。
【００４５】
次に、図５は、サーバ装置１１の内部構成を示しており、共通ディスク装置１１ａのパケット管理部１１ａ１に、可搬メディア５１の収容部等の可搬メディアアクセス装置１１ｈを接続している。すなわち、パケット管理部１１ａ１は、外部からの入力操作により、当日及び翌日、つまり特定された期間内に放送される予定の全ての文字放送素材データ及び放送進行スケジュールデータを、可搬メディアアクセス装置１１ｈに転送する。すると、可搬メディアアクセス装置１１ｈは、転送された文字放送素材データ及び放送進行スケジュールデータを可搬メディア５１に記録する。
【００４６】
次に図６は、送出装置２１の内部構成を示しており、当日翌日分文字放送スケジュール管理部２１ｂ及びパケット番組管理部２１ｄに、可搬メディア５１の収容部等の可搬メディアアクセス装置２１ｉを接続している。すなわち、可搬メディアアクセス装置２１ｉは、可搬メディア５１から再生した文字放送素材データをパケット番組管理部２１ｄに転送し、放送進行スケジュールデータを当日翌日分文字放送スケジュール管理部２１ｂに転送する。
【００４７】
このため、パケット番組管理部２１ｄは、可搬メディア５１から再生された放送進行スケジュールデータを参照することにより、放送予定時刻に応じた文字放送素材データを当日翌日パケット番組データ記憶部２１ｆから選択的に読み出すことができ、この文字放送素材データをＮＡＢデータ／ページデータ変換部２１ｅ及び送出制御部２１ｇを介して放送波として送出することが可能となる。
【００４８】
したがって、この第２の実施の形態によれば、送出装置２１にて送出される特定期間内の文字放送素材データ及びこの文字放送素材データを放送するために必要な放送進行スケジュールデータは、サーバ装置１１にて可搬メディア５１に記録される。そして、送出装置２１は、可搬メディア５１に記録された特定期間内の文字放送素材データ及び放送進行スケジュールデータを再生し、この再生した放送進行スケジュールデータに基づいて文字放送素材データの送出を行なえるようになる。すなわち、送出装置２１は、可搬メディア５１から再生した放送進行スケジュールデータを参照することにより、時間帯に応じて文字放送素材データを選択的に送出することが可能となり、さらに文字放送素材データが更新されても、それに伴ってサーバ装置１１にて放送進行スケジュールデータも更新されて可搬メディア５１を介して送出装置２１に提供されることになる。
【００４９】
このため、送出装置２１で可搬メディア５１から再生した放送進行スケジュールデータに基づいて文字放送素材データの送出を行なうので、ＬＡＮ３１に障害が発生した場合に、サーバ装置１１による可搬メディア５１へのデータ記録処理の煩雑さを軽減し、かつ送出装置２１における文字放送素材データと放送進行スケジュールデータとの不整合の危険を回避することが可能となる。
【００５０】
また、この第２の実施の形態において、図４に示す如く、ＬＡＮ３１上に、ＬＡＮ３１の状態を監視する監視装置６１が接続されている。この監視装置６１は、ＬＡＮ３１の障害を検出した際に、この障害を検出した旨をサーバ装置１１に通知する。すると、サーバ装置１１は、監視装置６１により障害を検出した旨が通知された場合に、特定された期間内に放送される予定の全ての文字放送素材データ及び放送進行スケジュールデータを可搬メディア５１に転送して記録する。
【００５１】
この構成によれば、ＬＡＮ３１上に、ＬＡＮ３１の状態を監視する監視装置６１を接続し、この監視装置６１にてＬＡＮ３１の障害を検出した際に、この障害を検出した旨をサーバ装置１１に通知することにより、サーバ装置１１は、ＬＡＮ３１に障害が発生した旨を把握することができ、そして、人の手を介することなく自動的に特定期間内の文字放送素材データ及び放送進行スケジュールデータを可搬メディアに記録することが可能となる。なお、この監視装置６１による通知手段としては、ＬＡＮ３１とは別回線を用いてサーバ装置１１に通知するようにしてもよく、また、最寄りの監視者に通知する手段をとるようにしてもよい。
【００５２】
なお、上記各実施の形態では、データ伝送線路としてＬＡＮ３１を例に説明しているが、この他にもシリアル回線等を用いるようにしてもよい。また、上記各実施の形態では、文字放送素材データ及び放送進行スケジュールデータをパケット化してＬＡＮ３１に伝送する際に、文字放送素材データ及び放送進行スケジュールデータを送出装置２１，２２にて識別できるようなフラグ情報を付加するようにしている。また、上記各実施の形態では、文字放送素材データを例に説明しているが、この文字放送素材データ以外の放送素材データであっても適用できることはもちろんのことである。
【００５３】
なお、この発明は、上記実施の形態の範囲に必ずしも限定されるものではなく、その他この発明の要旨を逸脱しない範囲で種々変形して実施できることはもちろんのことである。
【００５４】
【発明の効果】
以上詳述したようにこの発明によれば、放送素材データ及び放送進行スケジュールデータの入力及び管理の煩雑さと、一方の系統に障害が発生した場合に他方の系統への切替によるデータの欠落の危険とを回避し得る放送素材データ送出システムを提供することができる。また、データ伝送線路等に障害が発生した場合にも、可搬メディアへのデータ記録処理の煩雑さを軽減し、かつ放送素材データと放送進行スケジュールデータとの不整合の危険を回避し得る放送素材データ送出システムを提供することができる。
【図面の簡単な説明】
【図１】この発明に係る放送素材データ送出システムの一実施の形態を示す概略構成図。
【図２】同実施の形態におけるサーバ装置の内部構成を示すブロック構成図。
【図３】同実施の形態における送出装置の内部構成を示すブロック構成図。
【図４】この発明に係る放送素材データ送出システムの第２の実施の形態を示す概略構成図。
【図５】同第２の実施の形態におけるサーバ装置の内部構成を示すブロック構成図。
【図６】同第２の実施の形態における送出装置の内部構成を示すブロック構成図。
【符号の説明】
１１…サーバ装置、
１１ａ…共通ディスク装置、
１１ａ１…パケット管理部、
１１ａ２…ＮＡＢ素材管理部、
１１ａ３…文字放送スケジュール管理部、
１１ａ４…文字放送放送進行表、
１１ｂ…第１の番組ファイル、
１１ｃ…第２の番組ファイル、
１１ｄ…ＮＡＢ素材記憶部、
１１ｅ…パケット作成部、
１１ｆ…番組記憶部、
１１ｈ…可搬メディアアクセス装置、
２１，２２…送出装置、
２１ｉ…可搬メディアアクセス装置、
３１…ＬＡＮ、
５１…可搬メディア、
６１…監視装置。
【図１】
0004064553.tif 000002
【図２】
0004064553.tif 000003
【図３】
0004064553.tif 000004
【図４】
0004064553.tif 000005
【図５】
0004064553.tif 000006
【図６】
0004064553.tif 000007